(57)【特許請求の範囲】
【請求項１】
ウエストバンド部とパンティー部とレッグ部とから構成され、全体が一体的に編成されるパンティストッキングであって、
前記パンティー部の全体について、裏糸に弾性糸を用い、表糸にウーリーナイロン糸を添え糸として用いた、プレーン編み組織により編成し、
前記ウエストバンド部を、裏糸に弾性糸を用い、表糸にウーリーナイロン糸を添え糸として用いて、前記パンティー部を編成した同一の編糸を用いた同一のプレーン編みで袋編みにした、パンティストッキング。
【請求項２】
前記裏糸は、ポリウレタン糸を芯糸としてナイロン糸を巻き付けたシングルカバリング糸である、請求項１に記載のパンティストッキング。
【請求項３】
前記裏糸に、１８デシテックスのシングルカバリング糸を用い、
前記表糸に、１７デシテックスのウーリーナイロン糸を用いた、請求項２に記載のパンティストッキング。
【発明の詳細な説明】
【技術分野】
【０００１】
本発明は、好適なずり下がり防止機能を備えるパンティストッキングに関し、特に、脱いだ後にウエストバンドの跡形が皮膚に付きにくいパンティストッキングに関する。
【背景技術】
【０００２】
近年の生活習慣上、人が靴を履くときに足に装着する衣類としての靴下を多くの人々が使用している。そのような衣類の中で、特に、女性の下半身を覆うストッキングは、外出時における女性の脚部の保護および保温さらには脚線美の向上の観点等から、広く世間に浸透している。
現在市販されているほとんどのストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。太さの異なる２種類の糸を使用するため横縞模様が表れ、比較的光沢が多い。
ゾッキ（ゾッキ編み）は、一般的には、サポート糸（ポリウレタン糸にナイロン糸を巻き付けたカバリング糸）だけで編成されているものが多い。良好なフィット性を求めるときに好適である。また、ゾッキ編みのストッキングは、いわゆる伝線（使用中に編み組織の一部に引掛傷ができ糸が切れると生成される編組織が解編されたはしご状の線）が発生しにくいという特徴を備え、横縞模様が表れないで、比較的光沢が少ない。
【０００４】
このようなパンティストッキングにおいて、伸縮糸の編成によってレッグ（ストッキング）部分とパンティー部分（ウエストバンドを含む）とが一体的に編成されるパンティストッキングは、そのパンティー部の存在により着用安定性、フイット性に優れ、また保温性を有するなどの利点があるため多用されている。そして、着用時に臍上部または臍近傍に位置するウエストバンド部により、着用時のパンティー部のずり下がりを防止するようにしている。
【０００５】
このようなパンティストッキングとして、特開平１１−０６１５０７号公報（特許文献１）は、着用安定性を向上することができるほか、腹部やヒップ部分の整容性を向上するとともに着用者の体形に適応し、動きに応じた高度の着用感を有することができるパンティストッキングを開示する。
この特許文献１に開示されたパンティストッキングは、ストッキング部とパンティー部とを一体的に編成したパンティストッキングであって、パンティー部を履き口部分において強い締め付け力を備えたウエストバンド部と、その下方で全周を覆い充分な締め付け力を備えたずり下がり補強部と、その下方で腹部に位置し充分な締め付け力を備えた腹部締め付け部と、その後方でヒップ部に位置し締め付け力の少ないヒップ覆い部と、腹部締め付け部とヒップ覆い部の下方に位置し全周を覆い腹部締め付け部より強い締め付け力を有し保形力を備えたヒップアップ部と、その下方において全周を覆い腹部締め付け部と同程度の締め付け力を有するガーターライン部とからなるようにしたものである。
【０００６】
このパンティストッキングによると、履き口部におけるウエストバンド部の強い締め付け力によってパンティストッキングのずり落ち防止作用を生じ、その下方のずり下がり補強部において、ウエスト部を充分な締め付け力で全体から包むようにして締め付け、ずり下がりの補強作用を生じるので、たとえばしゃがんだときまたは腰掛けたとき等、腰を曲げたときのずり下がり防止作用が向上する。
【先行技術文献】
【特許文献】
【０００７】
【特許文献１】特開平１１−０６１５０７号公報
【発明の概要】
【発明が解決しようとする課題】
【０００８】
しかしながら、特許文献１に開示されたストッキングによると、パンティストッキングのずり落ち防止作用を生じさせているのは、履き口部におけるウエストバンド部の強い締め付け力（さらにはずり下がり補強部および腹部締め付け部の充分な締め付け力）であるために、脱いだ後にウエストバンドの跡形が皮膚にくっきりと付いてしまう可能性が高い。また、パンティー部をウエストバンド部を含めて６領域に分割して糸仕様および編設計を異ならせているので糸仕様および編設計の切替による段差があることも、ウエストバンド部の強い締め付け力、ならびに、ずり下がり補強部および腹部締め付け部の充分な締め付け力と相俟って、パンティストッキングを脱いだ後に跡形が皮膚に付きやすくしている要因であると考えられる。
【０００９】
本発明は、従来技術の上述の問題点に鑑みて開発されたものであり、その目的とするところは、好適なずり下がり防止機能を備えるにもかかわらず、脱いだ後にウエストバンドの跡形が皮膚に付きにくいパンティストッキングを提供することである。
【課題を解決するための手段】
【００１０】
上記目的を達成するため、本発明に係るパンティストッキングは以下の技術的手段を講じている。
すなわち、本発明に係るパンティストッキングは、ウエストバンド部とパンティー部とレッグ部とから構成され、全体が一体的に編成されるパンティストッキングであって、前記パンティー部の全体について、糸仕様および編設計を変更することなく、プレーン編み組織により編成し、前記ウエストバンド部を、前記パンティー部と同じ糸仕様および同じ編設計で袋編みにしたことを特徴とする。
【００１１】
好ましくは、前記パンティー部の全体について、裏糸にポリウレタン糸を芯糸としてナイロン糸を巻き付けたシングルカバリング糸を用い、表糸にウーリーナイロン糸を用いた、プレーン編み組織により編成したように構成することができる。
さらに好ましくは、前記裏糸に、１８デシテックスのシングルカバリング糸を用い、前記表糸に、１７デシテックスのウーリーナイロン糸を用いるように構成することができる。
【発明の効果】
【００１２】
本発明に係るパンティストッキングによれば、好適なずり下がり防止機能を備えるにもかかわらず、脱いだ後にウエストバンドの跡形が皮膚に付きにくいパンティストッキングを提供を提供することができる。
【図面の簡単な説明】
【００１３】
【図１】本発明の実施の形態に係るパンティストッキングの概略正面図である。
【発明を実施するための形態】
【００１４】
以下、本発明の実施の形態であるパンティストッキング１を、図面に基づき詳しく説明する。なお、本発明は、このパンティストッキング１のパンティー部３およびウエストバンド部４に好適に適用される。以下の説明において、パンティストッキングをパンストと略して記載する場合がある。
［全体構成］
図１に、本実施の形態に係るパンティストッキング１の概略正面図を示す。このパンティストッキング１は、ウエストバンド部４と、腹部および臀部を被覆するパンティー部３と、脚を被覆するレッグ部２とを備えるものである。このパンティストッキング１は、筒状に編成された１対の編地を用い、パンティー部３に相当する部分に切れ目を入れて裁断縁どうしをつき合わせて股部５を縫着して一体化することにより製造される。また、足部の爪先部は周知の手段により、袋状に縫着することにより製造される。このような製造工程の最終工程において、熱セット（湿熱セット）が行われる。
【００１５】
この熱セットは、後述するように、編糸であるカバリング糸の芯糸であるウレタン系弾性糸に熱融着糸または熱合着糸を用いて、熱融着糸どうしの接触部において繊維どうしが融着して離れ難くなるようにセットしたり、熱合着糸どうしの接触部において繊維どうしが合着して離れ難くなるようにセットしたりすることにより、簡単に伝線することを防止することを目的とする。この熱セットは、熱融着糸または熱合着糸に対応した所望の条件
（温度、時間等）で行われる。
【００１６】
そして、このパンティストッキング１は、上述したようにウエストバンド部４とパンティー部３とレッグ部２とから構成され、全体が一体的に編成される。このパンティストッキング１において特徴的であるのは、パンティー部３の全体については、糸仕様および編設計を変更することなく、プレーン編み（平編み、メリヤス編み、天竺編み、ジャージー）組織により編成している点である。さらに、このパンティストッキング１において特徴的であるのは、ウエストバンド部４を、パンティー部３と同じ糸仕様および同じ編設計で袋編み（二重構造）にしている点である。
【００１７】
以下において、このパンティストッキング１のウエストバンド部４およびパンティー部３の糸仕様および編設計について詳しく説明する。ウエストバンド部４の糸仕様および編設計はパンティー部３と同じ糸仕様および同じ編設計で袋編みしたものであるので、パンティー部３の糸仕様および編設計について詳しく説明する。なお、このパンティストッキング１のレッグ部２については、一般的なパンティストッキングと、同じ糸仕様かつ同じ編設計で、構成されている。
［糸仕様および編設計］
本実施の形態に係るパンティストッキング１のパンティー部３の全体について、裏糸にポリウレタン糸を芯糸としてナイロン糸を巻き付けたシングルカバリング糸（ＳＣＹ：Ｓｉｎｇｌｅ  Ｃｏｖｅｒｅｄ  Ｙａｒｎ）を用い、表糸にウーリーナイロン糸を用いた、プレーン編み組織により編成している。さらに、この裏糸は、２０デシテックスのポリウレタン糸を芯糸として１１デシテックスのナイロン糸を巻き付けた１８デシテックスのシングルカバリング糸を用い、表糸は、１７デシテックスのウーリーナイロン糸を用いている。すなわち、纏めると以下のようになる。
＜Ａ＞パンスト１のパンティー部３の糸仕様および編設計
・糸仕様
裏糸：１８デシテックスのシングルカバリング糸
芯糸：２０デシテックスのポリウレタン糸
（ドラフト３倍）
巻糸：１１デシテックスのナイロン糸
（５フィラメントのマルチフィラメント糸）
表糸：１７デシテックスのウーリーナイロン糸
（５フィラメントのマルチフィラメント糸）
・編設計
プレーン編み（平編み）であって、４口靴下編み機の全４口に表糸のウーリーナイロン糸を入れ込んで（添え糸して）編むプレーティング編み
＜Ｂ＞パンスト１のウエストバンド部４の糸仕様および編設計
・パンティー部３と同じ糸仕様および同じ編設計であって袋編み（二重）
このような構成を備えた本実施の形態に係るパンティストッキング１との比較のために、一般的なパンティストッキングの糸仕様および編設計を以下に示す。本実施の形態に係るパンティストッキング１と比較される一般的なパンティストッキング１も、ウエストバンド部とパンティー部とレッグ部とから構成され、全体が一体的に編成されるものである。
【００１８】
一般的なパンティストッキングのパンティー部およびウエストバンド部の糸仕様および編設計は、以下の通りである。
＜ａ＞一般的なパンストのパンティー部の糸仕様および編設計
交編編み
３３デシテックスのシングルカバリング糸（芯糸：ポリウレタン糸）
３３デシテックスのウーリーナイロン糸
＜ｂ＞一般的なパンストのウエストバンド部の糸仕様および編設計
・糸仕様
裏糸：５０デシテックスのウーリーナイロン糸
（１８フィラメントのマルチフィラメント糸）
表糸：１５０デシテックスのポリウレタン糸
（強い伸縮性を発現させるために太さが必要）
・編設計
タック編み（引き上げ編み）であって、４口靴下編み機の１口に表糸のポリウレタン糸を入れ込んで（添え糸して）編むプレーティング編み
上述したように、本実施の形態に係るパンティストッキング１のレッグ部２および一般的なパンティストッキングのレッグ部については、同じ糸仕様、かつ、同じ編設計（交編（交編編み）またはゾッキ（ゾッキ編み））で、構成されているため、ここでは詳細に説明しない。
［糸仕様および編設計の比較］
＜ウエストバンド部の比較＞
上記の＜Ｂ＞と＜ｂ＞とを比較すると、一般的なパンティストッキングのウエストバンド部は、１５０デシテックスという太いポリウレタン糸を用いて、かつ、タック編みとすることで、強力な伸縮性を発現させている。このため、パンティストッキングを脱いだ後にウエストバンドの跡形が皮膚に付きやすくなる。
【００１９】
一方、本実施の形態に係るパンティストッキング１のウエストバンド部４は、裏糸も表糸も細い糸仕様で、プレーン編み（平編み）で構成し、さらに二重構造となる袋編みとしているために、一般的なパンティストッキングのウエストバンド部よりも弱い伸縮力を発現させつつ適切な伸縮力（適度な締め付け力）を実現している。このため、パンティストッキングを脱いだ後にウエストバンドの跡形が皮膚に付きにくくなる。なお、ウエストバンド部４とパンティー部３とが糸仕様および編設計が同じで袋編みの差しかないので糸仕様または編設計の切替による段差がないことも、パンティストッキング１を脱いだ後にウエストバンド部４の跡形が皮膚に付きにくくしている。
【００２０】
ここで、一般的には＜ｂ＞のタック編みよりも＜Ｂ＞のプレーン編み（平編み）の方が伸縮力が弱くなるのであるが、＜Ｂ＞においては芯糸がポリウレタン糸のシングルカバリング糸を裏糸として４口靴下編み機の全４口に配置されているので、太いポリウレタン糸（ベア糸）を用いることなく、適切な伸縮力を発現できている。
なお、＜ｂ＞に示す一般的なパンティストッキングのウエストバンド部は、ポリウレタンのベア糸（裸糸）を用いてタック編みで実現しているが、このタック編みにより、ポリウレタンのベア糸を用いた場合に（このパンティストッキング１の製造工程において筒状に編成された１対の編地に切れ目を入れて裁断縁どうしをつき合わせて股部５を縫着する際等に）編地の切断部からポリウレタンのベア糸が飛び出ることを回避することができていた。一方、本実施の形態に係るパンティストッキング１のウエストバンド部４はポリウレタンのベア糸ではなくシングルカバリング糸を用いているのでプレーン編みでも編地の切断部からポリウレタン糸が飛び出ることを回避できている。
＜パンティー部の伸縮力＞
上述したように、一般的なパンティストッキングに比較して、本実施の形態に係るパンティストッキング１のウエストバンド部４の伸縮力が弱まっているが、二重構造のウエストバンド部４を一重構造としたパンティー部３の伸縮力が強まって、かつ、ウエストバンド部４とパンティー部３との段差がなく、かつ、ウエストバンド部４とパンティー部３との伸縮力のバランスが向上している。これにより、ウエストバンド部４を太いポリウレタン糸を用いたタック編みで構成しなくても、ウエストバンド部４とパンティー部３とで（パンティストッキング１全体としてバランスのよい）伸縮力を発現させることができている。その結果、好適なずり下がり防止機能を備えるにもかかわらず、脱いだ後にウエストバンドの跡形が皮膚に付きにくいパンティストッキング１を実現することができている。
【００２１】
すなわち、太い糸（特にポリウレタンのベア糸）およびタック編みを使用しないで、薄さを求めた編設計および糸仕様により、一般的なパンティストッキングに比較して、（少なくともレッグ部以外の）全体が薄く、フラットで（ウエストバンド部４とパンティー部３とが糸仕様および編設計が同じで袋編みの差しかないので糸仕様または編設計の切替に
よる段差がなく）、着用快適性の高い（脱いだ後に跡形が皮膚に付きにくい）ウエストバンド４を備えたパンティストッキング１を実現することができる。
【００２２】
以上のようにして、好適なずり下がり防止機能を備えるパンティストッキングに関し、特に、脱いだ後にウエストバンドの跡形が皮膚に付きにくいパンティストッキングを実現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２３】
本発明は、パンティストッキングに好適であり、好適なずり下がり防止機能を備えつつ、脱いだ後にウエストバンドの跡形が皮膚に付きにくいパンティストッキングに特に好適である。
【符号の説明】
【００２４】
１    パンティストッキング
２    レッグ部
３    パンティー部
４    ウエストバンド部
５    股部
【図１】
0006538485.tif 000002